(57)【要約】【課題】  各アクチュエータに対して、合流流量を供給したり、あるいは一方のポンプの吐出流量のみを供給したりできるバルブ構造を提供することである。【解決手段】  バルブ本１体に、少なくとも一対の第１，２スプール２，３を組み込むとともに、第１スプール２側のバルブ本体には、第１，２アクチュエータポート４，５とタンク通路１８とを形成し、第２スプール３側のバルブ本体には第３，４アクチュエータポート６，７を形成する。そして、第１スプール２側においてポンプと連通する供給通路を、連通路２７を介して、上記第３アクチュエータポート６に連通させる。【選択図】  図１
2007107620.tif 000002
【特許請求の範囲】
【請求項１】
バルブ本体に、少なくとも一対の第１，２スプールを組み込むとともに、第１スプール側のバルブ本体には、第１，２アクチュエータポートとタンク通路とを形成し、第２スプール側のバルブ本体には第３，４アクチュエータポートを形成する一方、第１スプール側の本体には、ロードチェック弁を介してポンプに連通する供給通路を形成し、第２スプール側の本体にはロードチェック弁を介してポンプに連通する供給通路を形成する一方、第１スプールは、それが中立位置にあるとき、上記供給通路と第１，２アクチュエータポートとの連通を遮断する一方、第１スプールをいずれかの方向に切り換えたとき、第１スプールに形成した凹部を介して、供給通路と第１あるいは第２アクチュエータポートとを連通し、タンク通路と第２あるいは第１アクチュエータポートを連通する構成にし、さらに、第２スプールは、それが中立位置にあるとき、上記供給通路と第３，４アクチュエータポートとの連通を遮断する一方、第２スプールをいずれかの方向に切り換えたとき、第２スプールに形成した凹部を介して、供給通路と第３あるいは第４アクチュエータポートとを連通し、タンク通路と第４あるいは第３アクチュエータポートを連通する構成にしたバルブ構造において、第１スプール側における供給通路と、第２スプール側における第３ポートとを、常時連通する連通路をバルブ本体に形成したバルブ構造。
【発明の詳細な説明】
【技術分野】
【０００１】
この発明は、バルブ本体に複数のスプールを組み込んだバルブ構造に関する。
【背景技術】
【０００２】
図２に示した従来のバルブ構造は、バルブ本体１に第１，２スプール２，３を摺動自在に組み込んでいる。また、このバルブ本体１には、その第１スプール２側に第１，２アクチュエータポート４，５を形成し、第２スプール３側に第３，４アクチュエータポート６，７を形成している。また、両第１，２スプール２，３側のそれぞれには、図面に示すようにアーチ状にした供給通路８，９を形成している。これら供給通路８，９は、ロードチェック弁１０，１１を介して、ポンプ通路１２，１３に接続している。なお、上記ポンプ通路１２，１３は、第１，２スプール２，３が左右いずれかに切り換えられたとき、図示していないポンプに連通するものである。
【０００３】
上記第１スプール２には、第１凹部１４と第２凹部１５とを形成し、第２スプール３には、第３凹部１６と第４凹部１７とを形成している。そして、第１スプール２が図面右方向に移動すると、第１凹部１４を介して第１アクチュエータポート４と供給通路８とが連通し、第２凹部１５を介して、第２アクチュエータポート５と第１スプール２側のバルブ本体１に形成したタンク通路１８とが連通する。第１スプール２が、図面左方向に移動すると、今度は、第１凹部１４を介して第１アクチュエータポート４とタンク通路１８とが連通し、第２凹部１５を介して、第２アクチュエータポート５と供給通路８とが連通する。
【０００４】
一方、上記第２スプール３が図面右方向に移動すると、第３凹部１６を介して第３アクチュエータポート６と供給通路９とが連通し、第４凹部１７を介して、第４アクチュエータポート７と第２スプール３側のバルブ本体１に形成したタンク通路１９とが連通する。第２スプール３が、図面左方向に移動すると、今度は、第３凹部１６を介して第３アクチュエータポート６とタンク通路１９とが連通し、第４凹部１７を介して、第４アクチュエータポート７と供給通路９とが連通する。
【０００５】
上記のようにした第１，２スプール２，３のそれぞれは、その両端を一方のパイロット圧室２０，２１と他方のパイロット圧室２２，２３とに臨ませている。そして、他方のパイロット圧室２２，２３には、センタリングスプリング２４，２５を設け、通常は、このセンタリングスプリング２４，２５のバネ力の作用で図示の中立位置を保つものである。
【０００６】
そして、第１スプール２側における供給通路８と、第２スプール３側における供給通路９とを、連通路２６を介して常時連通している。言い換えると、第１，２スプール２，３の切り換え位置に関わりなく、両供給通路８，９は常時連通している。また、上記ポンプ通路１２，１３のそれぞれには、別々のポンプを接続している。
【０００７】
したがって、上記の状態で、第２スプール３を中立位置に保って、第１スプール２のみを、例えば、図面右方向に切り換えると、前記したように第１凹部１４を介して供給通路８と第１アクチュエータポート４とが連通する。供給通路８と第１アクチュエータポート４とが連通すれば、ポンプ通路１２に接続したポンプの吐出流量が、第１アクチュエータポート４からアクチュエータに供給される。そして、第２アクチュエータポート５に流れ込んだアクチュエータの戻り流量は、第２凹部１５を介してタンク通路１８に導かれる。
【０００８】
また、第１スプール２を、図面左方向に切り換えると、第２凹部１５を介して供給通路８と第２アクチュエータポート５とが連通する。供給通路８と第２アクチュエータポート５とが連通すれば、ポンプ通路１２に接続したポンプの吐出流量が、第２アクチュエータポート５からアクチュエータに供給される。そして、第１アクチュエータポート４に流れ込んだアクチュエータの戻り流量は、第１凹部１４を介してタンク通路１８に導かれる。
【０００９】
一方、第１スプール２を中立位置に保って、第２スプール３のみを、例えば、図面右方向に切り換えると、前記したように第３凹部１６を介して供給通路９と第３アクチュエータポート６とが連通する。供給通路９と第３アクチュエータポート６とが連通すれば、ポンプ通路１３に接続したポンプの吐出流量が、第３アクチュエータポート６からアクチュエータに供給される。そして、第４アクチュエータポート７に流れ込んだアクチュエータの戻り流量は、第４凹部１７を介してタンク通路１９に導かれる。
【００１０】
また、第２スプール３を、図面左方向に切り換えると、第４凹部１７を介して供給通路９と第４アクチュエータポート７とが連通する。供給通路９と第４アクチュエータポート７とが連通すれば、ポンプ通路１３に接続したポンプの吐出流量が、第４アクチュエータポート７からアクチュエータに供給される。そして、第３アクチュエータポート６に流れ込んだアクチュエータの戻り流量は、第３凹部１６を介してタンク通路１９に導かれる。
【００１１】
一方、第１スプール２と第２スプール３とを同時に切り換えると、供給通路８，９に導かれた両ポンプの吐出量が連通路２６を介して合流するので、その合流流量が第１あるいは２スプール２あるいは３側に振り分けられる。しかし、この場合には、ポンプからの合流流量は、負荷の小さなアクチュエータに優先的に供給さる。
【特許文献１】特開２００１−１６５１０６号公報
【発明の開示】
【発明が解決しようとする課題】
【００１２】
いずれにしても、上記のバルブ構造のもとでは、第１，２スプール２，３の切り換え位置に関わりなく、供給通路８，９が常に連通しているので、どのような状況の中でも、両ポンプの合流流量を利用せざるを得ない。言い換えると、それほど大きな流量を必要としないアクチュエータに対しても大流量が供給されてしまうという問題があった。
【００１３】
この発明の目的は、各アクチュエータに対して、合流流量を供給したり、あるいは一方のポンプの吐出流量のみを供給したりできるバルブ構造を提供することである。
【課題を解決するための手段】
【００１４】
この発明は、バルブ本体に、少なくとも一対の第１，２スプールを組み込むとともに、第１スプール側のバルブ本体には、第１，２アクチュエータポートとタンク通路とを形成し、第２スプール側のバルブ本体には第３，４アクチュエータポートを形成する一方、第１スプール側の本体には、ロードチェック弁を介してポンプに連通する供給通路を形成し、第２スプール側の本体にはロードチェック弁を介してポンプに連通する供給通路を形成する一方、第１スプールは、それが中立位置にあるとき、上記供給通路と第１，２アクチュエータポートとの連通を遮断する一方、第１スプールをいずれかの方向に切り換えたとき、第１スプールに形成した凹部を介して、供給通路と第１あるいは第２アクチュエータポートとを連通し、タンク通路と第２あるいは第１アクチュエータポートを連通する構成にし、さらに、第２スプールは、それが中立位置にあるとき、上記供給通路と第３，４アクチュエータポートとの連通を遮断する一方、第２スプールをいずれかの方向に切り換えたとき、第２スプールに形成した凹部を介して、供給通路と第３あるいは第４アクチュエータポートとを連通し、タンク通路と第４あるいは第３アクチュエータポートを連通する構成にしたバルブ構造において、第１スプール側における供給通路と、第２スプール側における第３ポートとを、常時連通する連通路をバルブ本体に形成した点に特徴を有する。
【発明の効果】
【００１５】
この発明によれば、所定のアクチュエータポートに対して、合流流量を供給したり、あるいは一方のポンプの吐出流量のみを供給したりできる。また、第１〜４アクチュエータポートのいずれかをプラグ等でふさぐことによって、残りの３つのポートを有効に利用することもできる。
【発明を実施するための最良の形態】
【００１６】
図１に示したこの発明の実施形態は、従来の連通路２６を取り除くとともに、第１スプール２側の供給通路８と、第２スプール３側の第３アクチュエータポート６とを、連通路２７で連通させた点が従来と相違する。それ以外の構成は、すべて従来と同一であるが、以下には、同一の構成要素についても詳しく説明する。ただし、従来と同一の構成要素については、同一符号を用いる。
【００１７】
図１に示したバルブ構造は、バルブ本体１に第１，２スプール２，３を摺動自在に組み込んでいる。また、このバルブ本体１には、その第１スプール２側に第１，２アクチュエータポート４，５を形成し、第２スプール３側に第３，４アクチュエータポート６，７を形成している。また、両第１，２スプール２，３側のそれぞれには、図面に示すようにアーチ状にした供給通路８，９を形成している。これら供給通路８，９は、ロードチェック弁１０，１１を介して、ポンプ通路１２，１３に接続している。なお、上記ポンプ通路１２，１３は、第１，２スプール２，３が左右いずれかに切り換えられたとき、図示していないポンプに連通するものである。
【００１８】
上記第１スプール２には、第１凹部１４と第２凹部１５とを形成し、第２スプール３には、第３凹部１６と第４凹部１７とを形成している。そして、第１スプール２が図面右方向に移動すると、第１凹部１４を介して第１アクチュエータポート４と供給通路８とが連通し、第２凹部１５を介して、第２アクチュエータポート５と第１スプール２側のバルブ本体１に形成したタンク通路１８とが連通する。第１スプール２が、図面左方向に移動すると、今度は、第１凹部１４を介して第１アクチュエータポート４とタンク通路１８とが連通し、第２凹部１５を介して、第２アクチュエータポート５と供給通路８とが連通する。
【００１９】
一方、上記第２スプール３が図面右方向に移動すると、第３凹部１６を介して第３アクチュエータポート６と供給通路９とが連通し、第４凹部１７を介して、第４アクチュエータポート７と第２スプール３側のバルブ本体１に形成したタンク通路１９とが連通する。第２スプール３が、図面左方向に移動すると、今度は、第３凹部１６を介して第３アクチュエータポート６とタンク通路１９とが連通し、第４凹部１７を介して、第４アクチュエータポート７と供給通路９とが連通する。
【００２０】
上記のようにした第１，２スプール２，３のそれぞれは、その両端を一方のパイロット圧室２０，２１と他方のパイロット圧室２２，２３とに臨ませている。そして、他方のパイロット圧室２２，２３には、センタリングスプリング２４，２５を設け、通常は、このセンタリングスプリング２４，２５のバネ力の作用で図示の中立位置を保つものである。
【００２１】
そして、第１スプール２側における供給通路８と、第２スプール３側における第３アクチュエータポート６とを、連通路２７を介して常時連通している。したがって、第１，２スプール２，３の切り換え位置に関わりなく、供給通路８と第３アクチュエータポート６とは連通することになる。また、上記ポンプ通路１２，１３のそれぞれには、別々のポンプを接続する。
【００２２】
今、第３アクチュエータポート６をプラグ等でふさいで、例えば、第１，２アクチュエータポート４，５を複動式のシリンダに接続し、第４アクチュエータポート７を単動式のアクチュエータに接続したとする。
【００２３】
上記の状態で、例えば、第１スプール２のみを図面左右いずれかに移動し、第２スプール３を中立位置に保っておけば、第１スプール２側のポンプの吐出流量が、第１あるいは第２アクチュエータポート４あるいは５を経由してアクチュエータに供給されるとともに、当該アクチュエータの戻り流量がタンク通路１８に戻されるが、この点は、従来と同様である。
【００２４】
また、第１スプール２を上記のように左右いずれかに切り換えたとき、第２スプール３を図面右方向に移動すれば、第２スプール３側の供給通路９が、第３凹部１６および連通路２７を介して、第１スプール２側の供給通路８に連通するとともに、第４アクチュエータポート７が第４凹部１７を介してタンク通路１９に連通する。したがって、第２スプール３側のポンプの吐出流量は、第１スプール２側の供給通路８に合流して、アクチュエータに供給される。このとき、第４アクチュエータポート７がタンク通路１９に連通するので、この第４アクチュエータポート７に接続した単動シリンダは、タンクに連通して荷重方向に収縮あるいは伸張することになる。
【００２５】
そして、上記第１スプール２を中立位置に保って、第２スプール３を図面左方向に移動すると、第２スプール３側の供給通路９が、第４凹部１７を介して第４アクチュエータポート７に連通する。したがって、この供給通路９に導かれたポンプ吐出流量は、この第４アクチュエータポート７に接続した単動シリンダに供給され、当該単動シリンダは、その荷重に抗する方向に伸張もしくは収縮する。ただし、この場合には、第１，２アクチュエータポート４，５に接続したアクチュエータを動作させることはできない。なぜなら、供給通路８が、連通路２７および第３凹部１６を介してタンク通路１９に連通してしまうからである。
【００２６】
上記のようにしたこの実施形態によれば、第３アクチュエータポート６をふさぐことによって、残りの第１，２，４アクチュエータポート４，５，７を有効に活用することができる。また、第２スプール３を切り換えたり、切り換えなかったりすることによって、第１，２アクチュエータポート４，５に接続したアクチュエータに合流流量を供給したり、あるいはポンプ単体の流量を供給したりできる。
【図面の簡単な説明】
【００２７】
【図１】この発明の実施形態を示す断面図である。
【図２】従来のバルブ構造を示す断面図である。
【符号の説明】
【００２８】
１        バルブ本体
２        第１スプール
３        第２スプール
４        第１アクチュエータポート
５        第２アクチュエータポート
６        第３アクチュエータポート
７        第４アクチュエータポート
８，９      供給通路
１０，１１  ロードチェック弁
１４        第１凹部
１５        第２凹部
１６        第３凹部
１７        第４凹部
１８，１９  タンク通路
２７        連通路
【図１】
2007107620.tif 000003
【図２】
2007107620.tif 000004